(57)【特許請求の範囲】
【請求項１】
ディスクと、前記ディスクの一表面でかつ対物レンズと対向する面に設けたクリーニング部材と、前記クリーニング部材を設けた側の表面でかつ前記クリーニング部材の付近に設けたレンズホルダーを引きつけるための磁性体とを有するレンズクリーナー。
【請求項２】
ディスクの一定回転角の範囲にわたって磁性体を設けたことを特徴とする請求項１記載のレンズクリーナー。
【請求項３】
ディスクの１回転範囲にわたって磁性体を設けたことを特徴とする請求項１記載のレンズクリーナー。
【請求項４】
磁性体とクリーニング部材のみをディスクなしに構成し、かつディスクに張り付ける手段を有することを特徴とする請求項１〜３のいずれかに記載のレンズクリーナー。
【請求項５】
ディスクが磁性体で構成されたことを特徴とする請求項１記載のレンズクリーナー。
【発明の詳細な説明】
【０００１】
【発明の属する技術分野】
本発明は光ディスクに情報を記録・再生する光ディスク装置の光ヘッドの対物レンズを清掃（以下クリーニングと呼ぶ）するレンズクリーナーに関するものである。
【０００２】
【従来の技術】
近年、大量の情報を記録・再生する光ディスクが、高い記録密度、短い検索アクセス時間、高い生産性から注目を浴びている。このような光ディスクを記録・再生する光ヘッドは光ディスクに光スポットを集光させるための対物レンズをムービング・コイル（ＭＣ）方式やムービング・マグネット（ＭＭ）方式の電磁力により微小変動させて、フォーカシングやトラッキングを行っている。そのため、一般に対物レンズはその可動部に磁性体を有している。
【０００３】
ところで、光ディスク装置は磁気ハードディスクなどとは異なり、媒体の置き換えが容易な構造のために密封構造になりにくく、装置外部から流入する空気中のほこり等によって、光ヘッド上の対物レンズなど外気にさらされた部分が汚れ易く、長時間使用した場合、信号の記録再生特性が劣化するため定期的に対物レンズなどをクリーニングする必要がある。
【０００４】
そのため図６に示すようなレンズクリーナー（特開平１―４３３８６号公報参照）が知られている。
【０００５】
図６に従来のレンズクリーナーの構成を示しており、ディスク６１とディスク６１の一部に設けられたクリーニング部材６２によって構成されており、光ディスク装置に通常のディスク同様に装着することによりディスク６１が回転し、クリーニング部材６２が光ディスク装置の対物レンズ表面をこすりクリーニングするものである。
【０００６】
【発明が解決しようとする課題】
しかしながら、レンズに対し高いクリーニング効果が要求されているにもかかわらず、従来の構成のレンズクリーナーは、クリーニング部材が対物レンズに押しあてられる力が非常に弱く、汚れのひどい場合にはクリーニング効果が不十分な場合があった。
【０００７】
本発明は、簡単な構成で容易にクリーニングができ、かつクリーニング効果の高いレンズクリーナーを提供することを目的とする。
【０００８】
【課題を解決するための手段】
この課題を解決するために本発明は、ディスクの一表面でかつ対物レンズと対向する面にクリーニング部材を設け、このクリーニング部材を設けた側の表面でかつ当該クリーニング部材の付近にレンズホルダーを引きつけるための磁性体を設けた構成としたものである。
【０００９】
これにより、クリーニング部材の付近に設けた磁性体が光ディスク装置のレンズホルダーの磁性体を引きつけるためクリーニング部材が対物レンズに押しあてられる力が強くなり、高いレンズクリーニング効果が得られる。
【００１０】
【発明の実施の形態】
本発明の請求項１に記載の発明は、ディスクの一表面でかつ対物レンズと対向する面にクリーニング部材を設け、このクリーニング部材を設けた側の表面でかつ当該クリーニング部材の付近に磁性体を設けたレンズクリーナーであり、クリーニング部材の付近に備える磁性体により光ディスク装置のレンズホルダーの磁性体を引きつけるため、対物レンズをクリーニング部材に引きつけながらクリーニングするという作用を有する。
【００１１】
請求項２に記載の発明は、ディスクの一定回転角の範囲にわたって磁性体を設けた請求項１記載のレンズクリーナーであり、ディスクの一定回転角の範囲に設けた磁性体により光ディスク装置のレンズホルダーの磁性体を引きつける時間を長くできるため対物レンズの引きつけ効果が高く、対物レンズをクリーニング部材に引きつけながらクリーニングするという作用を有する。
【００１２】
請求項３に記載の発明は、ディスクの１回転範囲にわたって磁性体を設けた請求項１記載のレンズクリーナーであり、ディスクの一回転範囲に設けた磁性体により光ディスク装置のレンズホルダーの磁性体を持続して引きつけできるため対物レンズの引きつけ効果がを高く、対物レンズをクリーニング部材に引きつけながらクリーニングするという作用を有する。
【００１３】
請求項４に記載の発明は、磁性体とクリーニング部材のみをディスクなしに構成した請求項１、請求項２、請求項３に記載のレンズクリーナーであり、ディスクに取り付けることにより請求項１、請求項２、請求項３と同じ作用を有する。
【００１４】
請求項５に記載の発明は、ディスクを磁性体で構成した請求項１記載のレンズクリーナーであり、磁性体によりレンズホルダーの磁性体を持続して引きつけできるため対物レンズの引きつけ効果が高く、対物レンズをクリーニング部材に引きつけながらクリーニングするという作用を有する。
【００１５】
以下、本発明の実施の形態について、図１から図５を用いて説明する。
（実施の形態１）
図１（ａ）は本発明の実施の形態１のレンズクリーナー斜視図を示し、図１においてクリーニング部材１３をディスク１１に設けクリーニング部材１３の付近に磁性体１２を取り付けており、磁性体１２は光ディスク装置のレンズホルダーの磁性体１５を引きつけるためのもので、鉄または磁石などにより構成されている。これにより、対物レンズ１６がクリーニング部材１３に引きつけられた状態となりターンテーブル１７が回転することにより、対物レンズ１６はクリーニングされる。
【００１６】
（実施の形態２）
図２は実施の形態２のレンズクリーナー斜視図を示し、図２においてディスク２１に磁性体２２とクリーニング部材２３が取り付けられており、磁性体２２はディスク２１の一定回転角の範囲にわたって設けられており、光ディスク装置のレンズホルダーの磁性体を引きつける時間すなわち対物レンズを引きつける時間を長く保つように工夫したものであり、鉄または磁石などにより構成されている。
【００１７】
（実施の形態３）
図３は実施の形態３のレンズクリーナー斜視図を示し、図３においてディスク３１に磁性体３２とクリーニング部材３３が取り付けられており、磁性体３２はディスク３１のディスクの１回転範囲にわたって設けられており、光ディスク装置のレンズホルダーの磁性体を持続して引きつけるように、すなわち対物レンズを持続して引きつけるように工夫したものであり、鉄または磁石などにより構成されている。
【００１８】
（実施の形態４）
図４は実施の形態４のレンズクリーナー斜視図を示し、図４においてシート状の磁性体４１の片面にクリーニング部材４２が取り付けられ、またもう一方の片面に張りつけ手段として接着剤が塗られており、ディスクに接着剤により取り付けることにより同様の作用が得られる。
【００１９】
なお、張りつけ手段は接着剤のように完全に張り付けてしまうものでなくともよく、一時的に張りつくものでかまわない。また、磁性体４１とクリーニング部材４２が別体にディスクに取り付けられても同様の作用が得られる。
【００２０】
（実施の形態５）
図５は実施の形態５のレンズクリーナー斜視図を示し、図５において磁性体からなるディスク５１にクリーニング部材５２が取り付けられており、光ディスク装置のレンズホルダーの磁性体を持続して引きつけるように工夫したものである。
【００２２】
また、クリーニング部材は、短毛状に成形した合成樹脂、合成樹脂繊維を短く植毛したもの等があるが、対物レンズに押圧して対物レンズに傷等の障害を起こさずクリーニングできるものであればこれらに限るものではない。
【００２３】
【発明の効果】
以上のように本発明によれば、ディスクに設けた磁性体により光ディスク装置のレンズホルダーの磁性体を引きつけるため、対物レンズをクリーニング部材に引きつけながらクリーニングするという作用を有し、光ディスク装置の対物レンズの高いクリーニング効果を得られる。
【図面の簡単な説明】
【図１】本発明の実施の形態１によるレンズクリーナーを示す斜視図
【図２】同、実施の形態２によるレンズクリーナーを示す斜視図
【図３】同、実施の形態３によるレンズクリーナーを示す斜視図
【図４】同、実施の形態４によるレンズクリーナーを示す斜視図
【図５】同、実施の形態５によるレンズクリーナーを示す斜視図
【図６】従来のレンズクリーナーを示す斜視図
【符号の説明】
１１  ディスク
１２  磁性体
１３  クリーニング部材
１４  レンズホルダー
１５  レンズホルダーの磁性体
１６  対物レンズ
１７  ターンテーブル
２１  ディスク
２２  磁性体
２３  クリーニング部材
３１  ディスク
３２  磁性体
３３  クリーニング部材
４１  磁性体
４２  クリーニング部材
５１  ディスク
５２  クリーニング部材
６１  ディスク
６２  クリーニング部材
【図１】
0003677370.tif 000002
【図２】
0003677370.tif 000003
【図３】
0003677370.tif 000004
【図４】
0003677370.tif 000005
【図５】
0003677370.tif 000006
【図６】
0003677370.tif 000007